【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
物体側から像側へ順に、負の屈折力の第１レンズ群、正の屈折力の第２レンズ群を有し、広角端から望遠端へのズーミングに際して前記第１レンズ群と前記第２レンズ群が光軸上を移動し、隣り合うレンズ群の間隔が変化するズームレンズと、該ズームレンズによって結像される像を受光する撮像素子を有する撮像装置において、
広角端と望遠端における撮像範囲は異なっており、無限遠に位置する物体から出射し、撮影半画角θで入射した光束の広角端と望遠端における結像像高を各々Ｙｗ∞、Ｙｔ∞、至近距離に位置する物体から出射し、撮影半画角θで入射した光束の広角端と望遠端における結像像高を各々Ｙｗ至近、Ｙｔ至近、無限遠物体にフォーカスしているときの広角端と望遠端における全系の焦点距離を各々ｆｗ∞、ｆｔ∞とするとき、焦点距離ｆｉが
ｆｗ∞＜ｆｉ＜ｆｔ∞
を満足するズーム位置において、
撮影半画角θで入射した光束の焦点距離ｆｉにおける結像像高をＹｉとするとき、
１．８０≦Ｙｔ∞／Ｙｗ∞≦２．５
１．６０≦Ｙｔ至近／Ｙｗ至近＜１．８０
ただし、Ｙｉ＝２×ｆｉ×ｓｉｎ（θ／２）    （８５°≦θ≦９０°）
なる条件式を満足し、前記第１レンズ群の内部に開口径が可変又は固定の遮光部材を有することを特徴とする撮像装置。
【請求項２】
無限遠物体にフォーカスしているときの広角端と望遠端における全系の焦点距離を各々ｆｗ∞、ｆｔ∞とするとき、焦点距離ｆｉが
ｆｗ∞＜ｆｉ＜ｆｔ∞
を満足するズーム位置において、
無限遠物体にフォーカスしているときにおける結像像高Ｙに結像する光束の撮影半画角をθ∞、至近距離物体にフォーカスしているときにおける前記結像像高Ｙに結像する光束の撮影半画角をθｍｏｄとするとき、
０．６７＜θ∞／θｍｏｄ≦１
なる条件式を満足することを特徴とする請求項１に記載の撮像装置。
【請求項３】
前記遮光部材は、前記第１レンズ群の中で最も物体側に位置するレンズの像側に配置されることを特徴とする請求項１又は２に記載の撮像装置。
【請求項４】
前記第１レンズ群の中で最も物体側に位置するレンズの外周側に、広角端において最軸外光束を遮光せず、望遠端において最軸外光束を遮光する第２遮光部材をさらに有することを特徴とする請求項１乃至３のいずれか１項に記載の撮像装置。
【請求項５】
前記遮光部材は、広角端において最軸外光束の一部を遮光し、望遠端において最軸外光束を遮光しないことを特徴とする請求項１乃至４のいずれか１項に記載の撮像装置。
【請求項６】
物体側から像側へ順に、負の屈折力の第１レンズ群、正の屈折力の第２レンズ群を有し、
広角端から望遠端へのズーミングに際して前記第１レンズ群と前記第２レンズ群が光軸上を移動し、隣り合うレンズ群の間隔が変化するズームレンズにおいて、
前記第１レンズ群の内部に、広角端において最軸外光束の一部を遮光し、望遠端において最軸外光束を遮光しない遮光部材を有することを特徴とするズームレンズ。
【請求項７】
前記第１レンズ群の中で最も物体側に位置するレンズの外周側に、広角端において最軸外光束を遮光せず、望遠端において最軸外光束を遮光する第２遮光部材をさらに有することを特徴とする請求項６に記載のズームレンズ。
【手続補正２】
【補正対象書類名】明細書
【補正対象項目名】０００９
【補正方法】変更
【補正の内容】
【０００９】
本発明の撮像装置は、物体側から像側へ順に、負の屈折力の第１レンズ群、正の屈折力の第２レンズ群を有し、広角端から望遠端へのズーミングに際して前記第１レンズ群と前記第２レンズ群が光軸上を移動し、隣り合うレンズ群の間隔が変化するズームレンズと、該ズームレンズによって結像される像を受光する撮像素子を有する撮像装置において、
広角端と望遠端における撮像範囲は異なっており、無限遠に位置する物体から出射し、撮影半画角θで入射した光束の広角端と望遠端における結像像高を各々Ｙｗ∞、Ｙｔ∞、至近距離に位置する物体から出射し、撮影半画角θで入射した光束の広角端と望遠端における結像像高を各々Ｙｗ至近、Ｙｔ至近、無限遠物体にフォーカスしているときの広角端と望遠端における全系の焦点距離を各々ｆｗ∞、ｆｔ∞とするとき、焦点距離ｆｉが
ｆｗ∞＜ｆｉ＜ｆｔ∞
を満足するズーム位置において、
撮影半画角θで入射した光束の焦点距離ｆｉにおける結像像高をＹｉとするとき、
１．８０≦Ｙｔ∞／Ｙｗ∞≦２．５
１．６０≦Ｙｔ至近／Ｙｗ至近＜１．８０
ただし、Ｙｉ＝２×ｆｉ×ｓｉｎ（θ／２）    （８５°≦θ≦９０°）
なる条件式を満足し、前記第１レンズ群の内部に開口径が可変又は固定の遮光部材を有することを特徴としている。
【手続補正３】
【補正対象書類名】明細書
【補正対象項目名】００１０
【補正方法】変更
【補正の内容】
【００１０】
この他、本発明のズームレンズは、物体側から像側へ順に、負の屈折力の第１レンズ群、正の屈折力の第２レンズ群を有し、広角端から望遠端へのズーミングに際して第１レンズ群と第２レンズ群が光軸上を移動し、隣り合うレンズ群の間隔が変化するズームレンズにおいて、第１レンズ群は広角端において最大軸外光線の一部を遮光し、望遠端において最大軸外光線を遮光しない開口径が可変又は固定の遮光部材を有することを特徴としている。
【手続補正４】
【補正対象書類名】明細書
【補正対象項目名】００１３
【補正方法】変更
【補正の内容】
【００１３】
以下に、本発明の好ましい実施の形態を、添付の図面に基づいて詳細に説明する。本発明の撮像装置は、物体側から像側へ順に、負の屈折力の第１レンズ群、正の屈折力の第２レンズ群を有し、広角端から望遠端へのズーミングに際して第１レンズ群と第２レンズ群が光軸上を移動し、隣り合うレンズ群の間隔が変化するズームレンズを有する。更にズームレンズによって結像される像を受光する撮像素子を有する。
【手続補正５】
【補正対象書類名】明細書
【補正対象項目名】００２０
【補正方法】変更
【補正の内容】
【００２０】
本発明の撮像装置は、物体側から像側へ順に、負の屈折力の第１レンズ群Ｌ１、正の屈折力の第２レンズ群Ｌ２を有し、広角端から望遠端へのズーミングに際して第１レンズ群Ｌ１と第２レンズ群Ｌ２が光軸上を移動し、隣り合うレンズ群の間隔が変化するズームレンズを有する。ズームレンズによって結像される像を受光する撮像素子を有する。広角端と望遠端における撮像範囲は異なっている。無限遠物体において撮影半画角θで入射した光束の広角端と望遠端における結像像高を各々Ｙｗ∞、Ｙｔ∞とする。至近距離に位置する物体から出射し、撮影半画角θで入射した光束の広角端と望遠端における結像像高を各々Ｙｗ至近、Ｙｔ至近とする。
【手続補正６】
【補正対象書類名】明細書
【補正対象項目名】００２１
【補正方法】変更
【補正の内容】
【００２１】
無限遠物体にフォーカスしているときの広角端と望遠端における全系の焦点距離を各々ｆｗ∞、ｆｔ∞とする。このとき、焦点距離ｆｉが
ｆｗ∞＜ｆｉ＜ｆｔ∞
を満足するズーム位置において、撮影半画角θで入射した光線の焦点距離ｆｉにおける結像像高をＹｉとする。このとき、
１．８０≦Ｙｔ∞／Ｙｗ∞≦２．５          ・・・（１）
１．６０≦Ｙｔ至近／Ｙｗ至近＜１．８０    ・・・（２）
ただし、Ｙｉ＝２×ｆｉ×ｓｉｎ（θ／２）    （８５°≦θ≦９０°）
なる条件式を満足する。
【手続補正７】
【補正対象書類名】明細書
【補正対象項目名】００２２
【補正方法】変更
【補正の内容】
【００２２】
そして、第１レンズ群Ｌ１の内部にズーミング又はフォーカシングに際して開口径が可変又は固定の遮光部材を有する。また、本発明の撮像装置において無限遠物体にフォーカスしているときにおける結像像高Ｙに結像する光束の撮影半画角をθ∞、至近距離物体にフォーカスしているときにおける結像像高Ｙに結像する光束の撮影半画角をθｍｏｄとする。このとき、
０．６７＜θ∞／θｍｏｄ≦１              ・・・（３）
なる条件式を満足する。また遮光部材は第１レンズ群の中で最も物体側に位置するレンズの像側に配置されている。
【手続補正８】
【補正対象書類名】明細書
【補正対象項目名】００２３
【補正方法】変更
【補正の内容】
【００２３】
この他、本発明の撮像装置では広角端において最大画角光束（最軸外光束）（最大画角光線）を遮光せず、望遠端において最大画角光束を遮光する第２遮光部材が最も物体側に位置するレンズの外周側に配置されている。
【手続補正９】
【補正対象書類名】明細書
【補正対象項目名】００２５
【補正方法】変更
【補正の内容】
【００２５】
１．８０≦Ｙｔ∞／Ｙｗ∞≦２．２            ・・・（１ａ）
ただし、Ｙ＝２×ｆ×ｓｉｎ（θ／２）    （８５°≦θ≦９０°）
一般的な画面サイズは、縦横比が２：３であるものが多い。この比率の画面サイズにおいて円周魚眼から対角線魚眼までを包括するには少なくとも条件式（１）の数値は１．８以上とするのが良い。
【手続補正１０】
【補正対象書類名】明細書
【補正対象項目名】００３３
【補正方法】変更
【補正の内容】
【００３３】
本発明に係る遮光部材ＬＣはその特徴を活かし、図２（ｅ）に示すように望遠側においての光束Ｌ（Ｔ）にはあまり影響を与えず、広角側の光束Ｌ（Ｗ）のみを多く遮光するように配置している。図２（ｅ）に示すように、遮光部材ＬＣは望遠端において最軸外光束（半画角９０度）の光束を遮光しなく、広角端において最軸外光束（半画角９０度）の光束の一部を遮光する開口径よりなっている。また、広角端から望遠端におけるズーミングに際して、同じ画角の入射光が通過する光軸からの距離（高さ）は変動する。このため本発明で用いる遮光部材ＬＣの内径を可変としても良い。